(57)【要約】【課題】  原音響信号において同時に発生した音成分の同時到達に関して、聴取空間のいずれの位置であっても効果を得ることができるとともに、個人差が少ない態様で効果を得ることができる新たな位相特性補正方法を提供する。【解決手段】  第１位相特性補正部１２１が、前段信号処理部１１０による信号処理により生じた位相特性を補正対象として、当該補正対象の位相特性を所定周波数以下の周波数領域において直線化する第１位相特性補正を、前段信号処理部１１０から入力された信号ＰＡＤに対して行い第１補正信号ＦＡＤを生成する。引き続き、第２位相特性補正部１２２が、音声周波数領域全域にわたって位相特性を直線化する第２位相特性補正を、第１補正信号に対して行う。【選択図】  図３
2016063393.tif 000002
【特許請求の範囲】
【請求項１】
補正対象の周波数変化に対する位相変化の特性である位相特性を第１位相特性補正対象帯域において直線化する第１位相特性補正を、外部から入力された入力信号について行い第１補正信号を生成する第１位相特性補正部と；
前記第１位相特性補正対象帯域を含む第２位相特性補正対象帯域において位相特性を直線化する第２位相特性補正を、前記第１補正信号について行い第２補正信号を生成する第２位相特性補正部と；
を備えることを特徴とする位相特性補正装置。
【請求項２】
前記第２位相特性補正部は、前記第２位相特性補正対象領域を分割した場合の複数の周波数帯域のうちの少なくとも１つの周波数帯域における位相特性を補正する、
ことを特徴とする請求項１に記載の位相特性補正装置。
【請求項３】
前記複数の周波数帯域は、２個の周波数帯域であり、
前記第１位相特性補正対象帯域は、前記第２位相特性補正対象帯域における所定周波数以下の周波数帯域であり、
前記第２位相特性補正部は、前記第２位相特性補正対象帯域における前記所定周波数以上の周波数帯域における位相特性を補正する、
ことを特徴とする請求項２に記載の位相特性補正装置。
【請求項４】
前記第２位相特性補正部は、
前記所定周波数をカットオフ周波数とするリンクウィッツライリ型のローパスフィルタと；
前記所定周波数をカットオフ周波数とするリンクウィッツライリ型のハイパスフィルタと；
前記ハイパスフィルタを通過した信号に遅延を付与する遅延部と；
前記ローパスフィルタを通過した信号と、前記遅延部から出力された信号とを加算する加算部と；
を備えることを特徴とする請求項３に記載の位相特性補正装置。
【請求項５】
前記第２補正信号は、音出力部に供給され、
前記補正対象の位相特性は、前記入力信号に反映されている位相特性と、前記音出力部の位相特性とを合成した位相特性である、
ことを特徴とする請求項１〜４のいずれか一項に記載の位相特性補正装置。
【請求項６】
周波数変化に対する位相変化の特性である位相特性を補正する位相特性補正装置において使用される位相特性補正方法であって、
補正対象の位相特性を第１位相特性補正対象帯域において直線化する第１位相特性補正を、外部から入力された入力信号について行い第１補正信号を生成する第１位相特性補正工程と；
前記第１位相特性補正対象帯域を含む第２位相特性補正対象帯域において位相特性を直線化する第２位相特性補正を、前記第１補正信号について行い第２補正信号を生成する第２位相特性補正工程と；
を備えることを特徴とする位相特性補正方法。
【請求項７】
位相特性補正装置が有するコンピュータに、請求項６に記載の位相特性補正方法を実行させる、ことを特徴とする位相特性補正プログラム。
【請求項８】
位相特性補正装置が有するコンピュータにより読み取り可能に、請求項７に記載の位相特性補正プログラムが記録されている、ことを特徴とする記録媒体。
【発明の詳細な説明】
【技術分野】
【０００１】
本発明は、位相特性補正装置、位相特性補正方法及び位相特性補正プログラム、並びに、当該位相特性補正プログラムが記録された記録媒体に関する。
【背景技術】
【０００２】
従来から、音源から直接的に得られる原音響信号に対して信号処理を施し、当該信号処理後の処理後音響信号に対応する音をスピーカ等の音出力デバイスから出力することが広く行われている。こうした信号処理に関する技術として、平均的な両耳間の距離に基づき、原音響信号において同時に発生した音成分が聴取者の両耳への到達する時刻の時間差を、所定の周波数範囲で最小化する補正技術が提案されている（特許文献１参照：以下、「従来例」という）。
【０００３】
かかる従来例の技術では、想定する聴取者の位置（以下、「想定聴取位置」ともいう）が１つである、すなわち、制御ポイントが１つである場合には、当該想定聴取位置のみに特化した補正を行う。また、想定聴取位置が複数ある、すなわち、制御ポイントが複数ある場合には、当該複数の制御ポイントに関する平均的な補正を行う。
【先行技術文献】
【特許文献】
【０００４】
【特許文献１】特開２０１１―０９７５６１号公報
【発明の開示】
【発明が解決しようとする課題】
【０００５】
上述した従来例の技術では、想定聴取位置が１つである場合には、当該想定聴取位置から外れた位置では補正の効果が期待できない。また、想定聴取位置が複数である場合には、想定聴取位置が１つである場合と比べて、想定聴取位置であったとしても、補正の効果が大きく減少する。
【０００６】
ところで、両耳間の距離には個人差がある。この結果、従来例の技術では、補正の効果に個人差が発生することになる。
【０００７】
このため、原音響信号において同時に発生した音成分の同時到達に関して、聴取空間のいずれの位置においても実質的な効果を得ることができるとともに、個人差が少ない態様で効果を得ることができる新たな技術が望まれている。かかる要請に応えることが、本発明が解決すべき課題の一つとして挙げられる。
【課題を解決するための手段】
【０００８】
請求項１に記載の発明は、補正対象の周波数変化に対する位相変化の特性である位相特性を第１位相特性補正対象帯域において直線化する第１位相特性補正を、外部から入力された入力信号について行い第１補正信号を生成する第１位相特性補正部と；前記第１位相特性補正対象帯域を含む第２位相特性補正対象帯域において位相特性を直線化する第２位相特性補正を、前記第１補正信号について行い第２補正信号を生成する第２位相特性補正部と；を備えることを特徴とする位相特性補正装置である。
【０００９】
請求項６に記載の発明は、周波数変化に対する位相変化の特性である位相特性を補正する位相特性補正装置において使用される位相特性補正方法であって、補正対象の位相特性を第１位相特性補正対象帯域において直線化する第１位相特性補正を、外部から入力された入力信号について行い第１補正信号を生成する第１位相特性補正工程と；前記第１位相特性補正対象帯域を含む第２位相特性補正対象帯域において位相特性を直線化する第２位相特性補正を、前記第１補正信号について行い第２補正信号を生成する第２位相特性補正工程と；を備えることを特徴とする位相特性補正方法である。
【００１０】
請求項７に記載の発明は、位相特性補正装置が有するコンピュータに、請求項６に記載の位相特性補正方法を実行させる、ことを特徴とする位相特性補正プログラムである。
【００１１】
請求項８に記載の発明は、位相特性補正装置が有するコンピュータにより読み取り可能に、請求項７に記載の位相特性補正プログラムが記録されている、ことを特徴とする記録媒体である。
【図面の簡単な説明】
【００１２】
【図１】本発明の一実施形態に係る位相特性補正装置を備える音響装置の構成を示すブロック図である。
【図２】図１の前段信号処理部による信号処理後の位相特性の例を示す図である。
【図３】図１の位相特性補正装置の構成を説明するためのブロック図である。
【図４】図３の第１位相特性補正部による位相特性補正後の位相特性の例を示す図である。
【図５】図３の第２位相特性補正部による位相特性補正後の位相特性の例を示す図である。
【発明を実施するための最良の形態】
【００１３】
以下、本発明の一実施形態を、図１〜図５を参照して説明する。なお、図面においては、同一又は同等の要素には同一の符号を付し、重複する説明を省略する。
【００１４】
［構成］
図１には、一実施形態に係る位相特性補正装置１２０を備える音響装置１００の構成が示されている。この音響装置１００は、位相特性補正装置１２０に加えて、前段信号処理部１１０と、音出力部１３０と、入力部１４０と、制御部１５０とを備えている。
【００１５】
上記の前段信号処理部１１０は、音源装置２００から送られた音響信号ＯＡＤを受ける。そして、前段信号処理部１１０は、制御部１５０から送られた前段処理指定ＰＰＣに従った態様で、イコライジング等の前段信号処理を音響信号ＯＡＤに施して、信号ＰＡＤを生成する。こうして生成された信号ＰＡＤは、位相特性補正装置１２０へ送られる。
【００１６】
なお、音源装置２００としては、ＣＤ（Compact Disk）プレーヤ、ＤＶＤ（Digital Versatile Disk）プレーヤ等が挙げられる。
【００１７】
上記の音出力部１３０は、スピーカＳＰを備えて構成されている。この音出力部１３０は、位相特性補正装置１２０から送られた出力音信号（第２補正信号）ＡＯＤを受ける。そして、音出力部１３０は、出力音信号ＡＯＤに対応する音をスピーカＳＰから出力する。
【００１８】
上記の入力部１４０は、音響装置１００の本体部に設けられたキー部、及び／又はキー部を備えるリモート入力装置等により構成される。ここで、本体部に設けられたキー部としては、不図示の表示部の表示デバイスに設けられたタッチパネルを用いることができる。また、キー部を有する構成に代えて、又は併用して音声認識技術を利用して音声にて入力する構成を採用することもできる。
【００１９】
この入力部１４０を利用者が操作することにより、音響装置１００の動作内容の設定や動作指令の入力が行われる。例えば、前段信号処理部１１０におけるイコライジング処理等の前段処理の態様を指定できるようになっている。入力部１４０への入力内容は、入力データＩＰＤとして、制御部１５０へ送られる。
【００２０】
上記の制御部１５０は、入力部１４０から送られた入力データＩＰＤの内容に従って、音響装置１００の動作を統括制御する。例えば、入力データＩＰＤの内容が、前段信号処理部１１０における前段処理の態様の指定である場合には、当該前段処理の態様の指定に対応する前段処理指定ＰＰＣを生成する。そして、制御部１５０は、生成された前段処理指定ＰＰＣを前段信号処理部１１０へ送る。
【００２１】
また、制御部１５０は、前段処理指定ＰＰＣに従って生成された信号ＰＡＤに反映されている位相特性を直線化するための位相特性補正指定ＰＣＣを生成する。こうして生成された位相特性補正指定ＰＣＣは、位相特性補正装置１２０へ送られる。
【００２２】
なお、図２には、信号ＰＡＤに反映された位相特性の例が示されている。この図２で代表的に示されるように、一般的に、周波数の高い領域では、位相特性が直線状となっている。
【００２３】
＜位相特性補正装置１２０の構成＞
次に、上記の位相特性補正装置１２０の構成を説明する。
【００２４】
位相特性補正装置１２０は、図３に示されるように、第１位相特性補正部１２１と、第２位相特性補正部１２２とを備えている。そして、第２位相特性補正部１２２は、ローパスフィルタ（ＬＰＦ）部１２６と、ハイパスフィルタ（ＨＰＦ）部１２７と、遅延部１２８と、加算部１２９とを備えている。
【００２５】
上記の第１位相特性補正部１２１は、いわゆるオールパスフィルタであり、本実施形態では、複数の無限インパルス応答（ＩＩＲ）フィルタが直列に接続されて構成されている。この第１位相特性補正部１２１は、前段信号処理部１１０から入力された信号ＰＡＤを受ける。そして、第１位相特性補正部１２１は、制御部１５０から送られた位相特性補正指定ＰＣＣに従い、所定周波数ｆC以下の周波数範囲の位相特性が直線化する位相特性補正を信号ＰＡＤに対して行い、第１補正信号ＦＡＤを生成する。こうして生成された第１補正信号ＦＡＤは、第２位相特性補正部１２２のＬＰＦ部１２６及びＨＰＦ部１２７へ送られる。
【００２６】
なお、第１位相特性補正部１２１により補正された位相特性、すなわち、第１補正信号ＦＡＤに反映されている位相特性では、所定周波数ｆC以下の周波数範囲における周波数ｆの変化に対する位相θの変化率の絶対値｜（ｄθ／ｄｆ）L｜が、所定周波数ｆC以上の周波数範囲における周波数ｆの変化に対する位相θの変化率の絶対値｜（ｄθ／ｄｆ）H｜よりも大きくなっている。
【００２７】
上記のＬＰＦ部１２６は、カットオフ周波数が所定周波数ｆCのリンクウィッツライリ型のローパスフィルタの機能を有している。このＬＰＦ部１２６は、第１位相特性補正部１２１から送られた第１補正信号ＦＡＤを受ける。そして、ＬＰＦ部１２６は、所定周波数ｆCをカットオフ周波数とするフィルタリング特性で、第１補正信号ＦＡＤの低周波成分を通過させる。こうしてＬＰＦ部１２６を通過した信号は、信号ＬＰＤとして加算部１２９へ送られる。
【００２８】
上記のＨＰＦ部１２７は、カットオフ周波数が所定周波数ｆCのリンクウィッツライリ型のハイパスフィルタの機能を有しており、所定周波数ｆCを対称中心として、上述したＬＰＦ部１２６と対称なフィルタリング特性を有している。このため、ＨＰＦ部１２７は、ＬＰＦ部１２６と同一の位相特性を有する。また、ＨＰＦ部１２７のゲイン特性とＬＰＦ部１２６のゲイン特性との和は、全周波数範囲で平坦となっている。
【００２９】
ＨＰＦ部１２７は、第１位相特性補正部１２１から送られた第１補正信号ＦＡＤを受ける。そして、ＨＰＦ部１２７は、所定周波数ｆCをカットオフ周波数とするフィルタリング特性で、第１補正信号ＦＡＤの高周波成分を通過させる。こうしてＨＰＦ部１２７を通過した信号は、信号ＨＰＤとして遅延部１２８へ送られる。
【００３０】
上記の遅延部１２８は、ＨＰＦ部１２７から送られた信号ＨＰＤを受ける。そして、遅延部１２８は、制御部１５０から送られた位相特性補正指定ＰＣＣにおける所定周波数ｆC以上の周波数範囲の補正態様である遅延時間ＴＤの指定に従って信号ＨＰＤを遅延させ、遅延信号ＤＡＤを生成する。こうして生成された遅延信号ＤＡＤは、加算部１２９へ送られる。
【００３１】
なお、制御部１５０は、第１補正信号ＦＡＤに反映されている所定周波数ｆC以下における位相特性の傾きの絶対値｜（ｄθ／ｄｆ）L｜、及び、所定周波数ｆC以上における位相特性の傾きの絶対値｜（ｄθ／ｄｆ）H｜を用いて次の（１）式で表される遅延時間ＴＤを、遅延部１２８に指定するようになっている。
ＴＤ＝｜（ｄθ／ｄｆ）L｜−｜（ｄθ／ｄｆ）H｜      …（１）
【００３２】
上記の加算部１２９は、ＬＰＦ部１２６から送られた信号ＬＰＤ、及び、遅延部１２８から送られた遅延信号ＤＡＤを受ける。そして、加算部１２９は、信号ＬＰＤと遅延信号ＤＡＤとの和を算出し、出力音信号ＡＯＤを生成する。こうして生成された出力音信号ＡＯＤは、音出力部１３０へ送られる。
【００３３】
なお、図４には、第１補正信号ＦＡＤに反映された位相特性が示されている。この図４に示されるように、第１補正信号ＦＡＤにおいては、所定周波数ｆC以下の周波数領域の位相特性が直線化されている。また、図４に示される例では、所定周波数ｆC以上の周波数領域の位相特性は、所定周波数ｆC以下の周波数領域における傾きとは異なる直線で近似が可能となっている。
【００３４】
また、図５には、出力音信号（第２補正信号）ＡＯＤに反映された位相特性が示されている。この図５に示されるように、第２位相特性補正部１２２により位相特性補正が施された出力音信号ＡＯＤに反映された位相特性は、音声周波数領域の全範囲にわたって、直線化されている。このため、音出力部１３０へは、群遅延が一定化された態様で、出力音信号ＡＯＤが供給される。すなわち、音源装置２００から出力された音響信号ＯＡＤにおいて同時に発生している音成分が、ほぼ同時に音出力部１３０へ送られるようになっている。
【００３５】
［動作］
次に、上記のように構成された音響装置１００の動作について、位相特性補正装置１２０による位相特性補正処理に主に着目して説明する。
【００３６】
なお、音源装置２００からは、音響信号ＯＡＤが逐次送られているものとする。また、利用者により、前段信号処理部１１０におけるイコライジング処理等の前段処理の態様が指定されており、当該指定された前段処理の態様に対応した前段処理指定ＰＰＣ及び位相特性補正指定ＰＣＣが、制御部１５０から前段信号処理部１１０及び位相特性補正装置１２０へ送られているものとする（図１参照）。
【００３７】
かかる状態で、音響信号ＯＡＤを受けると、前段信号処理部１１０は、制御部１５０から送られた前段処理指定ＰＰＣに従った態様で、イコライジング等の前段信号処理を音響信号ＯＡＤに施して、信号ＰＡＤを生成する。そして、前段信号処理部１１０は、生成された信号ＰＡＤを位相特性補正装置１２０へ送る（図１参照）。
【００３８】
位相特性補正装置１２０では、第１位相特性補正部１２１が、前段信号処理部１１０から送られた信号ＰＡＤを受ける。信号ＰＡＤを受けると、第１位相特性補正部１２１は、制御部１５０から送られた位相特性補正指定ＰＣＣに従い、所定周波数ｆC以下の周波数範囲の位相特性が直線化する位相補正を、信号ＰＡＤに対して行い（図４参照）、第１補正信号ＦＡＤを生成する。そして、第１位相特性補正部１２１は、生成された第１補正信号ＦＡＤを、第２位相特性補正部１２２へ送る（図３参照）。
【００３９】
第２位相特性補正部１２２では、ＬＰＦ部１２６及びＨＰＦ部１２７が、第１位相特性補正部１２１から送られた第１補正信号ＦＡＤを受ける。第１補正信号ＦＡＤを受けると、ＬＰＦ部１２６は、所定周波数ｆCをカットオフ周波数とするフィルタリング特性で、第１補正信号ＦＡＤの低周波成分を通過させる。こうしてＬＰＦ部１２６を通過した信号は、信号ＬＰＤとして加算部１２９へ送られる（図３参照）。
【００４０】
一方、第１補正信号ＦＡＤを受けると、ＨＰＦ部１２７は、所定周波数ｆCをカットオフ周波数とするフィルタリング特性で、第１補正信号ＦＡＤの高周波成分を通過させる。こうしてＨＰＦ部１２７を通過した信号は、信号ＨＰＤとして遅延部１２８へ送られる（図３参照）。
【００４１】
信号ＨＰＤを受けると、遅延部１２８は、制御部１５０から送られた位相特性補正指定ＰＣＣにおける遅延時間ＴＤの指定に従って信号ＨＰＤを遅延させ、遅延信号ＤＡＤを生成する。そして、遅延部１２８は、生成された遅延信号ＤＡＤを加算部１２９へ送る（図３参照）。
【００４２】
信号ＬＰＤ及び遅延信号ＤＡＤを受けると、加算部１２９は、信号ＬＰＤと遅延信号ＤＡＤとの和を算出し、出力音信号ＡＯＤを生成する。そして、加算部１２９は、生成された出力音信号ＡＯＤを音出力部１３０へ送る（図３参照）。
【００４３】
出力音信号ＡＯＤに反映されている位相特性は、音声周波数領域の全範囲にわたって、直線化されている。このため、音出力部１３０へは、群遅延が一定化された態様で、出力音信号ＡＯＤが供給される。
【００４４】
出力音信号ＡＯＤを受けると、出力音信号ＡＯＤに対応する音をスピーカＳＰから出力する。このため、音源装置２００から出力された音響信号ＯＡＤにおいて同時に発生している音成分が、聴取空間のいずれの位置においてもほぼ同時に到達する音がスピーカＳＰから出力される。
【００４５】
以上説明したように、本実施形態では、第１位相特性補正部１２１が、前段信号処理部１１０による信号処理により生じた位相特性を補正対象として、当該補正対象の位相特性を所定周波数ｆC以下の周波数領域（第１位相特性補正対象領域）において直線化する第１位相特性補正を、前段信号処理部１１０から入力された信号ＰＡＤに対して行い第１補正信号ＦＡＤを生成する。引き続き、第２位相特性補正部１２２が、音声周波数領域の全範囲（第２位相特性補正対象領域）にわたって直線化する第２位相特性補正を、第１補正信号ＦＡＤに対して行う。
【００４６】
したがって、本実施形態によれば、群遅延が一定化された態様、すなわち、音源装置２００から出力された音響信号ＯＡＤにおいて同時に発生している音成分が、ほぼ同時に音出力部１３０に到達させることができる。この結果、音響信号ＯＡＤにおいて同時に発生した音成分の同時到達に関して、聴取空間のいずれの位置であっても実質的な効果を得ることができるとともに、個人差が少ない態様で効果を得ることができる位相特性補正を行うことができる。このため、音源の製作者の意図を精度良く反映した態様で、音源に対応する音を、聴取者に提供することができる。
【００４７】
また、本実施形態では、第２位相特性補正部１２２を、所定周波数ｆCをカットオフ周波数とするＬＰＦ部１２６と；所定周波数ｆCをカットオフ周波数とするＨＰＦ部１２７と；ＨＰＦ部１２７を通過した信号に遅延を付与する遅延部１２８と；ＬＰＦ部１２６を通過した信号ＬＰＤと、遅延部１２８から出力された遅延信号ＤＡＤとを加算する加算部１２９と；を備える構成としている。このため、第２位相特性補正部１２２を、簡易に実現できる。
【００４８】
また、本実施形態では、ＬＰＦ部１２６がリンクウィッツライリ型のローパスフィルタの機能を有するとともに、ＨＰＦ部１２７が、リンクウィッツライリ型のハイパスフィルタの機能を有するとともに、所定周波数ｆCを対称中心として、ＬＰＦ部１２６と対称なフィルタリング特性を有する構成としている。このため、ＨＰＦ部１２７がＬＰＦ部１２６と同一の位相特性を有するとともに、ＨＰＦ部１２７のゲイン特性とＬＰＦ部１２６のゲイン特性との和を全周波数範囲で平坦とすることできる。この結果、非常に簡易な構成で、本発明における第２位相特性補正部１２２を実現することができる。
【００４９】
［実施形態の変形］
本発明は、上記の実施形態に限定されるものではなく、様々な変形が可能である。
【００５０】
例えば、上記の実施形態では、１チャンネル構成の音響信号を想定して、位相特性補正を行うようにした。これに対し、複数チャンネル構成の音響信号の場合には、チャンネルごとに、互いに群遅延が同様となるように、上記の実施形態の場合と同様の位相特性補正を行うようにすればよい。
【００５１】
また、上記の実施形態では、所定周波数以下の第１周波数領域と、所定周波数以上の第２周波数領域という２つの周波数領域に分割し、第１位相特性補正部により所定周波数以下の周波数領域に関して第１位相特性補正を行った後、第２位相特性補正部により音声周波数領域の全範囲に関して第２位相特性補正を行うようにした。これに対し、３以上の周波数領域に分割したうえで、各分割周波数領域に応じた位相特性補正を行って、所望の周波数領域の全範囲における位相特性の直線化を図るようにしてもよい。
【００５２】
また、上記の実施形態では、第１位相特性補正部により位相特性が補正された第１補正信号は、第２位相特性補正部においてＬＰＦ部を介させるのみとした。これに対し、ＬＰＦ部を介した信号における位相特性の傾きを更に補正したうえで、第２位相特性補正部の加算部に供給するようにしてもよい。
【００５３】
また、上記の実施形態では、補正対象の位相特性を、前段信号処理部から出力された前段処理信号における位相特性とした。これに対し、補正対象の位相特性を、前段信号処理部から出力された前段処理信号における位相特性と、音出力部の位相特性とを合成した位相特性とすることができる。この場合には、音出力部から出力される音における群遅延を一定化することができる。
【００５４】
なお、上記の実施形態の位相特性補正を、ＤＳＰ（Digital Signal Processor）等を備えた演算手段としてのコンピュータとして構成し、予め用意されたプログラムを当該コンピュータで実行することにより、上記の実施形態における処理の一部又は全部を実行するようにしてもよい。このプログラムは、ＣＤ−ＲＯＭ、ＤＶＤ等の可搬型記録媒体に記録された形態で取得されるようにしてもよいし、インターネットなどのネットワークを介した配送の形態で取得されるようにしてもよい。
【符号の説明】
【００５５】
１２０    …  位相特性補正装置
１２１    …  第１位相特性補正部
１２２    …  第２位相特性補正部
１２６    …  ＬＰＦ部（ローパスフィルタ）
１２７    …  ＨＰＦ部（ハイパスフィルタ）
１２８    …  遅延部
１２９    …  加算部
【図１】
2016063393.tif 000003
【図２】
2016063393.tif 000004
【図３】
2016063393.tif 000005
【図４】
2016063393.tif 000006
【図５】
2016063393.tif 000007